(57)【要約】【課題】  材料の無駄がなくなり、割れや亀裂が生じ難くなるとともに、製造や取付作業が容易になる窓付き壁パネルを提供すること。【解決手段】  縦壁用パネル２１を左右に２分割して縦壁部２１ａ，２１ｂにし、横壁用パネル２２を上下に２分割して上部横壁部２２ａと下部横壁部２２ｂにした。そして、間隔を保って配置した縦壁部２１ａ，２１ｂの対向する両側部の上端側部分に上部横壁部２２ａを掛け渡し、下端側部分に下部横壁部２２ｂを掛け渡して、中央側部分に開口部２３が形成された窓付き壁パネル２０を構成した。また、縦壁部２１ａ，２１ｂ、上部横壁部２２ａおよび下部横壁部２２ｂのそれぞれの切断面を窓付き壁パネル２０の外周側に位置させた。さらに、上部横壁部２２ａと下部横壁部２２ｂとを縦壁部２１ａ，２１ｂに、係合突条２７ａ等と係合溝２６ａ等の係合により組み付けた。【選択図】  図２
2006342513.tif 000002
【特許請求の範囲】
【請求項１】
ユニットルームの壁面を構成するとともに中央側部分に窓用開口部が形成された窓付き壁パネルであって、縦壁用パネルを左右に２分割するように切断して前記窓付き壁パネルにおける前記窓用開口部の左右両側部分を構成する一対の縦壁部にするとともに、横壁用パネルを上下に２分割するように切断して前記窓付き壁パネルにおける前記窓用開口部の上下両側部分を構成する一対の横壁部にして、中央側部分に前記窓用開口部を形成した状態で前記一対の縦壁部と前記一対の横壁部とを枠状に組み付けたことを特徴とする窓付き壁パネル。
【請求項２】
前記縦壁用パネルと前記横壁用パネルとを同じパネルで構成した請求項１に記載の窓付き壁パネル。
【請求項３】
前記一対の縦壁部および前記一対の横壁部のそれぞれの切断面を前記窓付き壁パネルの外周側に位置させた状態で、前記一対の縦壁部および前記一対の横壁部を組み付けた請求項１または２に記載の窓付き壁パネル。
【請求項４】
前記縦壁用パネルの縁部に被係合凹部または被係合突部を形成するとともに、前記横壁用パネルの縁部に、前記縦壁用パネルの被係合凹部または被係合突部に係合可能な係合突部または係合凹部を形成し、前記被係合凹部と前記係合突部または前記被係合突部と前記係合凹部とを係合させることにより、前記一対の縦壁部および前記一対の横壁部を組み付けた請求項１ないし３のうちのいずれか一つに記載の窓付き壁パネル。
【発明の詳細な説明】
【技術分野】
【０００１】
本発明は、浴室ユニット等のユニットルームの壁面を構成する中央側部分に窓用開口部が形成された窓付き壁パネルに関する。
【背景技術】
【０００２】
従来から、浴室ユニット等の壁面を構成する壁パネルの中には窓部を取り付けるための窓用開口部を備えたものがある。この窓用開口部は、大きな壁パネルの中央側部分を切断して切り抜くことにより形成したり、２枚の壁パネルの接合側部分にそれぞれ切欠き凹部を形成して、２枚の壁パネルを接合したときに、接合部を挟んで窓用開口部が形成されるようにしたりして形成されている。しかしながら、これによると、壁パネルの切断された切り抜き部分が廃棄物となり材料に無駄が生じるという問題が生じる。また、窓用開口部の角部に割れや亀裂が生じ易くなるという問題もある。
【０００３】
このような問題を解決するため、壁パネルの周縁部や窓用開口部の周縁部をアルミニウムからなる強度の大きなフレームで構成することにより、壁パネルを切断することなく窓用開口部を形成した窓用壁パネルも開示されている（例えば、特許文献１参照）。この窓用壁パネルは、上部壁パネルと下部壁パネルの裏面における周縁部にそれぞれアルミニウム製のフレームを取り付けて上下２枚の壁パネル部分を構成している。そして、上部壁パネルの下部両側部分と下部壁パネルの上部両側部分との対向する部分をそれぞれアルミニウム製の側部フレームで連結することにより窓用壁パネルが形成されている。
【特許文献１】特開２０００−５４５３１号公報
【発明の開示】
【０００４】
しかしながら、前述した従来の窓用壁パネルでは、窓用開口部の左右両側部分が幅の小さな側部フレームで構成されるため、窓用開口部の位置が両側部フレームを除く部分に決まってしまい窓用壁パネルの任意の部分に窓用開口部を設けることができないという問題がある。また、前述した窓用壁パネルでは、部材点数が多くなり、製造が面倒になるとともにコストが高くなるという問題もある。
【０００５】
本発明は、前述した問題に対処するためになされたもので、その目的は、材料の無駄がなくなり、割れや亀裂が生じ難くなるとともに、製造や取付作業が容易になる窓付き壁パネルを提供することである。
【０００６】
前述した目的を達成するため、本発明に係る窓付き壁パネルの構成上の特徴は、ユニットルームの壁面を構成するとともに中央側部分に窓用開口部が形成された窓付き壁パネルであって、縦壁用パネルを左右に２分割するように切断して窓付き壁パネルにおける窓用開口部の左右両側部分を構成する一対の縦壁部にするとともに、横壁用パネルを上下に２分割するように切断して窓付き壁パネルにおける窓用開口部の上下両側部分を構成する一対の横壁部にして、中央側部分に窓用開口部を形成した状態で一対の縦壁部と一対の横壁部とを枠状に組み付けたことにある。
【０００７】
前述したように構成した本発明に係る窓付き壁パネルでは、一対の縦壁部と一対の横壁部とが枠状に組み付けて形成されるため、上下方向或いは左右方向の力に対する強度が強くなると共に、中央側部分に窓用開口部を形成するため、窓付き壁パネルに廃棄物になるような無駄な切り抜き部分が生じなくなる。また、窓用開口部の角部はそれぞれ縦壁部と横壁部とが組み付けられた部分で構成されるため、窓付き壁パネルに角部に係る応力を原因とした割れや亀裂が生じることがなくなる。さらに、縦壁用パネルの切断位置を適宜設定することにより、窓用開口部の左右方向の位置を任意の位置にすることができ、横壁用パネルの切断位置を適宜設定することにより、窓用開口部の上下方向の位置を任意の位置に自由に設定することができる。
【０００８】
また、縦壁用パネルと横壁用パネルとに異なる形状のパネルを用いることにより、さらに、窓付き壁パネルや窓用開口部の形状を任意の形状にすることができる。また、本発明では、窓付き壁パネルの四隅の角部の部分は、縦壁部を上下に延ばすことにより構成してもよいし、横壁部を左右に延ばすことにより構成してもよい。また、窓付き壁パネルの四隅の角部が交互に縦壁部と横壁部とで構成されるようにしてもよい。なお、本発明における縦壁用パネルの左右や横壁用パネルの上下は、縦壁用パネルおよび横壁用パネルを浴室内に設置し、正面から見たときの位置関係を示している。
【０００９】
また、本発明に係る窓付き壁パネルのさらに他の構成上の特徴は、縦壁用パネルと横壁用パネルとを同じパネルで構成したことにある。この場合の同じパネルとは、同形同大に形成された同種のパネルの意味である。これによると、２枚の同一の壁用パネルを適宜任意の位置で切断して枠状に組み付けることにより窓付き壁パネルが形成されるため、大量生産が可能になり製造コストが安価になる。
【００１０】
また、本発明に係る窓付き壁パネルのさらに他の構成上の特徴は、一対の縦壁部および一対の横壁部のそれぞれの切断面を窓付き壁パネルの外周側に位置させた状態で、一対の縦壁部および一対の横壁部を組み付けたことにある。これによると、縦壁用パネルおよび横壁用パネルを製造する際に、寸法精度や表面仕上げを良好にして形成された外周縁部が窓用開口部の縁部を構成するようになるため、窓用開口部の縁部が良好な面で構成されるようになる。また、切断面は窓付き壁パネルの外周側に位置して他の壁パネルや天井パネル等と止水構造を備えた接合部材によって接合されるため、多少粗面に形成されていても特に問題は生じない。
【００１１】
また、本発明に係る窓付き壁パネルのさらに他の構成上の特徴は、縦壁用パネルの縁部に被係合凹部または被係合突部を形成するとともに、横壁用パネルの縁部に、縦壁用パネルの被係合凹部または被係合突部に係合可能な係合突部または係合凹部を形成し、被係合凹部と係合突部または被係合突部と係合凹部とを係合させることにより、一対の縦壁部および一対の横壁部を組み付けたことにある。
【００１２】
これによると、縦壁部と横壁部との組付けが容易になるとともに、精度のよい組付けが可能になる。特に、間隔を保って配置した一対の縦壁部の間の上端側部分と下端側部分とにそれぞれ横壁部を掛け渡して組み付け、さらに、縦壁部および横壁部のそれぞれの切断面が外周側縁部になるようにした場合には、縦壁用パネルの左右の縁部に被係合凹部を形成し、横壁用パネルの左右の縁部に、縦壁用パネルの被係合凹部に係合可能な係合突部を形成することが好ましい。
【００１３】
これによると、横壁部の両側に突出する係合突部を、縦壁部の内側部に位置する被係合凹部に係合させることによりそれぞれの縦壁部と横壁部とを組み付けることができる。この場合、縦壁部で構成される窓用開口部の縁部には被係合凹部が位置するようになるが、この部分には、枠体等を備えた窓部が取り付けられるため、この被係合凹部は窓部によって被覆される。また、窓用開口部の周縁部に防水用のテープ等を貼り付けることも好ましい。さらに、各縦壁部と各横壁部とをそれぞれ固定用金具やジョイント材を用いて組み付けることもできる。
【発明を実施するための最良の形態】
【００１４】
（第１実施形態）
以下、本発明の第１実施形態に係る窓付き壁パネルを図面を用いて詳しく説明する。図１は、同実施形態に係る窓付き壁パネル２０を備えた浴室ユニット１０を示している。この浴室ユニット１０では、浴槽１２の長手方向の側面部に接して窓付き壁パネル２０が設置されている。そして、浴槽１２の左右（図１では前後）の側面部に接して、それぞれ壁パネル１３等（左側の壁パネルは図示せず）が設置されている。この壁パネル１３等は、それぞれ２枚の壁パネル１３ａ，１３ｂ等を並べて形成されている。
【００１５】
また、窓付き壁パネル２０に対向する壁面は、ドア（図示せず）を備えた壁パネル１４で構成され、窓付き壁パネル２０および壁パネル１３等の各壁パネルの上端には、曲面状の天井パネル１５が掛け渡されて固定されている。また、浴室ユニット１０の各パネル間は、それぞれ止水機能を備えた接合構造によって接合されている。また、ドアは、ドア取り付け用の枠等からなる所定の取り付け構造（図示せず）によって、壁パネル１４に取り付けられている。
【００１６】
また、浴槽１２の前側（図１では右側）における壁パネル１３ｂに沿った部分にはカウンター１６が設けられている。そして、壁パネル１３ｂにおけるカウンター１６の上方に鏡１７および棚部１８が設けられている。また、壁パネル１３ｂにおける壁パネル１３ａとの境界部近傍にはシャワー１９ａが設けられ、壁パネル１３ｂにおける鏡１７の下方には水栓１９ｂが設けられている。
【００１７】
窓付き壁パネル２０は、図２に示したように、左右に間隔を保って配置された縦壁部２１ａ，２１ｂと、縦壁部２１ａ，２１ｂ間の上部に掛け渡された上部横壁部２２ａと、縦壁部２１ａ，２１ｂ間の下部に掛け渡された下部横壁部２２ｂとの４枚のパネルで構成されている。そして、４枚のパネルの略中央に形成された開口部２３に、枠体２４と開閉可能なガラス戸２５ａ，２５ｂとからなる窓部２５が形成されている。
【００１８】
縦壁部２１ａ，２１ｂは、図３に示した縦壁用パネル２１を左右に二等分するように垂直方向に延びる切断線ａに沿って切断することにより形成される。また、縦壁用パネル２１の左右両端面の幅方向の中央には、本発明の被係合凹部としての係合溝２６ａ，２６ｂが端面の長手方向に沿って形成されている。縦壁部２１ａ，２１ｂは、切断面を外部側に向け係合溝２６ａ，２６ｂを内部側に向けた状態で、窓付き壁パネル２０の左右に配置されている。
【００１９】
上部横壁部２２ａと下部横壁部２２ｂとは、図４に示した横壁用パネル２２を上下に二等分するように水平方向に延びる切断線ｂに沿って切断することにより形成される。また、横壁用パネル２２の左右両端面の幅方向の中央には、本発明の係合突部としての係合突条２７ａ，２７ｂが端面の長手方向に沿って形成されている。上部横壁部２２ａは、切断面を上方に向けた状態で、窓付き壁パネル２０の中央上部に配置され、下部横壁部２２ｂは、切断面を下方に向けた状態で、窓付き壁パネル２０の中央下部に配置されている。
【００２０】
この上部横壁部２２ａと下部横壁部２２ｂとはそれぞれ、図５（図２の二点鎖線ｃの部分を上方から見た状態）に示したように、係合突条（２７ａ，）２７ｂを係合溝（２６ａ，）２６ｂに係合させることにより縦壁部２１ａ，２１ｂに組み付けられている。そして、開口部２３の周縁部には、図６および図７に示した断面形状がコ字状の防水用のアルミテープ２８が貼り付けられる。このアルミテープ２８は、開口部２３の周縁部の上下面にそれぞれ貼り付けられる真直ぐに延びた２個のテープと、左右の面とそのそれぞれの左右の面に対応する角部に張り付けられる正面視が略コ字状に形成された２個のテープとで構成されている。
【００２１】
また、このアルミテープ２８は、それぞれ開口部２３の周面と窓付き壁パネル２０の表裏面における開口部２３の縁部側部分とに掛けて貼り付けられる。そして、周縁部がアルミテープ２８で被覆された開口部２３に、枠体２４を取り付け、その枠体２４にガラス戸２５ａ，２５ｂを取り付けることにより窓部２５が形成される。
【００２２】
このように、本実施形態に係る窓付き壁パネル２０では、縦壁用パネル２１を左右に二等分して縦壁部２１ａ，２１ｂを形成するとともに、横壁用パネル２２を上下に二等分して上部横壁部２２ａと下部横壁部２２ｂとを形成している。そして、これらの縦壁部２１ａ，２１ｂ、上部横壁部２２ａおよび下部横壁部２２ｂを枠状に組み付けて、中央部に開口部２３を形成しているため、縦壁用パネル２１および横壁用パネル２２に廃棄物になるような無駄な部分が生じなくなる。これによって材料の有効利用が可能になる。
【００２３】
また、開口部２３の角部はそれぞれ上部横壁部２２ａと縦壁部２１ａ，２１ｂまたは下部横壁部２２ｂと縦壁部２１ａ，２１ｂとが組み付けられて形成されるため、開口部２３の周縁部に割れや亀裂が生じることがなくなる。これによって、角部から生じた割れや亀裂が徐々に大きくなることによって窓付き壁パネル２０が破損するといったことがなくなる。さらに、窓付き壁パネル２０が、縦壁部２１ａ，２１ｂ間に上部横壁部２２ａおよび下部横壁部２２ｂを挟んだ状態で枠状に組み付けて構成されているため、窓付き壁パネル２０の左右方向の力に対する強度が大きくなる。
【００２４】
また、窓付き壁パネル２０の中央側部分は、両側を縦壁部２１ａ，２１ｂに支持された状態で、上部横壁部２２ａと下部横壁部２２ｂとの間に枠体２４を備えた窓部２５が設置されるため窓部２５を支持するための充分な強度を得ることができる。
【００２５】
また、縦壁部２１ａ，２１ｂ、上部横壁部２２ａおよび下部横壁部２２ｂがそれぞれ切断面を外部側に向けて組み立てられるため、開口部２３の周面、特に上下面が寸法精度の良い平滑な面で構成される。さらに、係合突条２７ａ，２７ｂを係合溝２６ａ，２６ｂに係合させることにより上部横壁部２２ａと下部横壁部２２ｂを縦壁部２１ａ，２１ｂに組み付けるため、上部横壁部２２ａと下部横壁部２２ｂの縦壁部２１ａ，２１ｂへの組付けが容易かつ確実になる。また、開口部２３の縁部には防水用のアルミテープ２８が貼り付けられるため、開口部２３の縁部に位置する係合溝２６ａ，２６ｂは、このアルミテープ２８によって閉塞される。また、開口部２３と窓部２５との境界部には良好な止水構造が形成される。
【００２６】
（第２実施形態）
図８は、本発明の第２実施形態に係る窓付き壁パネル３０を示している。この窓付き壁パネル３０では、左側に配置された縦壁部３１ａの幅が、右側に配置された縦壁部３１ｂの幅よりも小さく設定されている。また、縦壁部３１ａ，３１ｂ間の上部側部分に掛け渡された上部横壁部３２ａの上下方向の長さが、縦壁部３１ａ，３１ｂ間の下部側部分に掛け渡された下部横壁部３２ｂの上下方向の長さよりも小さく設定されている。そして、枠状に組み立てられた縦壁部３１ａ等の左側部分における上部側に開口部３３が形成されている。
【００２７】
縦壁部３１ａ，３１ｂは、図９に示した縦壁用パネル３１を垂直方向に延びる切断線ｄに沿って切断することにより形成されている。また、縦壁用パネル３１の左右両端面の幅方向の中央には、係合溝３６ａ，３６ｂが端面の長手方向に沿って形成されている。そして、上部横壁部３２ａと下部横壁部３２ｂとは、図１０に示した横壁用パネル３２を水平方向に延びる切断線ｅに沿って切断することにより形成されている。また、横壁用パネル３２の左右両端面の幅方向の中央には、係合溝３７ａ，３７ｂが端面の長手方向に沿って形成されている。
【００２８】
この上部横壁部３２ａと下部横壁部３２ｂはそれぞれ、図１１（図８の二点鎖線ｆの部分を上方から見た状態）に示したように、ジョイント材３８を介して係合溝（３７ａ，）３７ｂと係合溝（３６ａ，）３６ｂとを係合させることにより縦壁部３１ａ，３１ｂに組み付けられている。ジョイント材３８は、断面形状が十字状の金属からなる長尺部材で構成されている。そして、ジョイント材３８は、平面視で直線状に延びる一対の片をそれぞれ係合溝（３７ａ，）３７ｂと係合溝（３６ａ，）３６ｂとに係合させ、他の一対の片を上部横壁部３２ａの端面と縦壁部３１ａ，３１ｂとの端面との間または下部横壁部３２ｂの端面と縦壁部３１ａ，３１ｂとの端面との間にそれぞれ位置させた状態で各パネルを組み付けている。
【００２９】
この窓付き壁パネル３０のそれ以外の部分の構成については、前述した第１実施形態の窓付き壁パネル２０と同一である。このように構成したため、各パネル間の係合が強固になる。また、この窓付き壁パネル３０のそれ以外の作用効果については、前述した第１実施形態の窓付き壁パネル２０と同様である。
【００３０】
（第３実施形態）
図１２は、本発明の第３実施形態に係る窓付き壁パネル４０を示している。この窓付き壁パネル４０では、左右両側に配置された縦壁部４１ａ，４１ｂの上下方向の長さが、開口部４３の上下方向の長さと同じに設定されている。そして、上部横壁部４２ａは、縦壁部４１ａ，４１ｂの上部に掛け渡され、下部横壁部４２ｂは縦壁部４１ａ，４１ｂの下部まで延びて、縦壁部４１ａ，４１ｂを支持している。
【００３１】
縦壁部４１ａ，４１ｂは、図１３に示した縦壁用パネル４１を左右に二等分するように垂直方向に延びる切断線ｇに沿って切断することにより形成される。また、上部横壁部４２ａと下部横壁部４２ｂとは、図１４に示した横壁用パネル４２を上下に二等分するように水平方向に延びる切断線ｈに沿って切断することにより形成される。そして、この上部横壁部４２ａと下部横壁部４２ｂはそれぞれ、図１５（図１２の二点鎖線ｉの部分を側方から見た状態）に示したように、固定用金具４８を介して縦壁部４１ａ，４１ｂに組み付けられている。
【００３２】
なお、この固定用金具４８は、ねじ（図示せず）により縦壁部４１ａ，４１ｂ、上部横壁部４２ａおよび下部横壁部４２ｂに固定されており、縦壁部４１ａ，４１ｂ、上部横壁部４２ａおよび下部横壁部４２ｂには、係合溝や係合突起は設けられていない。この窓付き壁パネル４０のそれ以外の部分の構成については、前述した第１実施形態の窓付き壁パネル２０と同一である。この窓付き壁パネル４０によっても、前述した第１実施形態の窓付き壁パネル２０等と同様の作用効果を奏し得る。
【００３３】
（第４実施形態）
図１６は、本発明の第４実施形態に係る窓付き壁パネル５０を示している。この窓付き壁パネル５０では、左側に配置された縦壁部５１ａが、下部横壁部５２ｂの上部左端部に設置され、右側に配置された縦壁部５１ｂが、側面を下部横壁部５２ｂの端面に接触させた状態で、下部横壁部５２ｂの右側に設置されている。また、上部横壁部５２ａは、左側端面を縦壁部５１ａの側面に接触させ、下面における右側部分を縦壁部５１ｂの上面に載せた状態で縦壁部５１ａ，５１ｂに掛け渡されている。そして、開口部５３は、窓付き壁パネル５０の中央部に形成されている。
【００３４】
図１７に示した縦壁用パネル５１と、図１８に示した横壁用パネル５２とは同一のパネルからなっており、縦壁部５１ａ，５１ｂは、縦壁用パネル５１を左右に二等分するように垂直方向に延びる切断線ｊに沿って切断することにより形成される。また、上部横壁部５２ａと下部横壁部５２ｂとは、横壁用パネル５２を上下に二等分するように水平方向に延びる切断線ｋに沿って切断することにより形成される。そして、この上部横壁部５２ａと下部横壁部５２ｂはそれぞれ、前述した固定用金具４８等を介して縦壁部５１ａ，５１ｂに組み付けられている。
【００３５】
この窓付き壁パネル５０のそれ以外の部分の構成については、前述した第３実施形態の窓付き壁パネル４０と同一である。この窓付き壁パネル５０によると、縦壁用パネル５１と横壁用パネル５２とを同じパネルで構成したため、２枚の同一の壁用パネルを切断して枠状に組み付けることにより窓付き壁パネル５０を形成できるようになり、壁用パネルが１種類で済むため製造コストが安価になる。この窓付き壁パネル５０のそれ以外の作用効果については、前述した第３実施形態の窓付き壁パネル４０等と同様である。
【００３６】
また、本発明に係る窓付き壁パネルは、前述した各実施形態に限定するものでなく、適宜変更して実施することができる。例えば、縦壁用パネル２１や横壁用パネル２２等の切断位置は前述した実施形態以外の任意の部分に設定することができ、これにより、開口部２３等の左右方向や上下方向の位置を任意の位置に自由に設定することができる。
【００３７】
また、開口部２３等の大きさや形状も任意の大きさや形状にすることができる。また、ジョイント材３８や固定用金具４８は、複数の短いものを使用して、所定の場所を固定するようにすることもできる。さらに、本発明に係る窓付き壁パネルのそれ以外の部分の構成についても、本発明の技術的範囲内で、適宜変更して実施することができる。
【図面の簡単な説明】
【００３８】
【図１】本発明の第１実施形態に係る窓付き壁パネルを備えた浴室ユニットを示した斜視図である。
【図２】第１実施形態に係る窓付き壁パネルを示した正面図である。
【図３】第１実施形態で用いる縦壁用パネルを示した正面図である。
【図４】第１実施形態で用いる横壁用パネルを示した正面図である。
【図５】第１実施形態で用いる上部横壁部と縦壁部との係合状態を示した部分平面図である。
【図６】開口部にアルミテープを貼り付ける状態を示した斜視図である。
【図７】開口部にアルミテープを貼り付けた状態を示した正面図である。
【図８】本発明の第２実施形態に係る窓付き壁パネルを示した正面図である。
【図９】第２実施形態で用いる縦壁用パネルを示した正面図である。
【図１０】第２実施形態で用いる横壁用パネルを示した正面図である。
【図１１】第２実施形態で用いる上部横壁部と縦壁部との係合状態を示した部分平面図である。
【図１２】本発明の第３実施形態に係る窓付き壁パネルを示した正面図である。
【図１３】第３実施形態で用いる縦壁用パネルを示した正面図である。
【図１４】第３実施形態で用いる横壁用パネルを示した正面図である。
【図１５】第３実施形態で用いる上部横壁部と縦壁部との係合状態を示した部分側面図である。
【図１６】本発明の第４実施形態に係る窓付き壁パネルを示した正面図である。
【図１７】第４実施形態で用いる縦壁用パネルを示した正面図である。
【図１８】第４実施形態で用いる横壁用パネルを示した正面図である。
【符号の説明】
【００３９】
１０…浴室ユニット、２０，３０，４０，５０…窓付き壁パネル、２１，３１，４１，５１…縦壁用パネル、２１ａ，２１ｂ，３１ａ，３１ｂ，４１ａ，４１ｂ，５１ａ，５１ｂ…縦壁部、２２，３２，４２，５２…横壁用パネル、２２ａ，３２ａ，４２ａ，５２ａ…上部横壁部、２２ｂ，３２ｂ，４２ｂ，５２ｂ…下部横壁部、２３，３３，４３，５３…開口部、２５…窓部、２６ａ，２６ｂ，３６ａ，３６ｂ，３７ａ，３７ｂ…係合溝、２７ａ，２７ｂ…係合突条、２８…アルミテープ、ａ，ｂ，ｄ，ｅ，ｇ，ｈ，ｊ，ｋ…切断線
【図１】
2006342513.tif 000003
【図２】
2006342513.tif 000004
【図３】
2006342513.tif 000005
【図４】
2006342513.tif 000006
【図５】
2006342513.tif 000007
【図６】
2006342513.tif 000008
【図７】
2006342513.tif 000009
【図８】
2006342513.tif 000010
【図９】
2006342513.tif 000011
【図１０】
2006342513.tif 000012
【図１１】
2006342513.tif 000013
【図１２】
2006342513.tif 000014
【図１３】
2006342513.tif 000015
【図１４】
2006342513.tif 000016
【図１５】
2006342513.tif 000017
【図１６】
2006342513.tif 000018
【図１７】
2006342513.tif 000019
【図１８】
2006342513.tif 000020